(57)【要約】【課題】不特定の者に使用されるような環境に置く場合には、ＩＣカードの持ち去り等を極力防止し、個人的に使用されるような環境に置く場合には、極力不便なくＩＣカードの抜取り等が可能となる、テレビ放送受信機を提供する。【解決手段】ＩＣカードを受取って保持するカード受取部を備え、ＩＣカードに記録されている情報を用いて所定の処理を行うものであり、処理形態を、外部からの指示に応じて、第１モードおよび第２モードの何れかに設定し、ＩＣカードが、カード受取部から取り除かれたか否かを検出し、処理形態が第２モードに設定されており、かつ、ＩＣカードがカード受取部から取り除かれた場合に、所定音声の出力および所定映像の表示のうちの少なくとも一方を実現させる処理（報知処理）を行う一方、処理形態が第１モードに設定されている場合には、報知処理を行わないテレビ放送受信機とする。【選択図】図２
2010035086.tif 000002
【特許請求の範囲】
【請求項１】
ＩＣカードを受取って保持するカード受取部を備え、該受取られたＩＣカードに記録されている情報を用いて所定の処理を行う、テレビ放送受信機であって、
該テレビ放送受信機における処理形態を、外部からの指示に応じて、第１モードおよび第２モードの何れかに設定するモード設定部と、
前記ＩＣカードが、前記カード受取部から取り除かれたか否かを検出する検出部と、
前記処理形態が第２モードに設定されており、かつ、前記ＩＣカードが前記カード受取部から取り除かれた場合に、音声出力装置に所定音声を出力させる処理および映像表示装置に所定映像を表示させる処理のうちの少なくとも一方の処理（「報知処理」とする）を行う報知部と、を備え、
該報知部は、
前記処理形態が第１モードに設定されている場合には、該報知処理を行わないことを特徴とするテレビ放送受信機。
【請求項２】
テレビ放送信号を受信し、
前記ＩＣカードに記録されている解除鍵を用いて、該テレビ放送信号に施されているスクランブルを解除することを特徴とする請求項１に記載のテレビ放送受信機。
【請求項３】
前記音声出力装置および前記映像表示装置の双方を備え、
該音声出力装置および映像表示装置を用いて、テレビ放送信号に基づいた音声出力および映像表示を行うことを特徴とする請求項１または請求項２に記載のテレビ放送受信機。
【請求項４】
請求項３に記載のテレビ放送受信機であって、
該テレビ放送受信機における電力供給形態は、
前記音声出力装置および前記映像表示装置に駆動電力が供給される電源ＯＮ状態と、該駆動電力が供給されない電源ＯＦＦ状態と、の何れかに切替可能であり、
前記報知部は、
該電力供給形態が電源ＯＦＦ状態であるときに、前記処理形態が第２モードに設定されており、かつ、前記ＩＣカードが前記カード受取部から取り除かれたことが検出された場合には、
該電力供給形態を電源ＯＮ状態に切替えた上で、前記報知処理を行うことを特徴とするテレビ放送受信機。
【発明の詳細な説明】
【技術分野】
【０００１】
本発明は、ＩＣカードに記録されている情報を用いて、所定の処理を実行するテレビ放送受信機に関する。
【背景技術】
【０００２】
従来、ＩＣカードに記録されている情報を用いて、所定の処理を実行するテレビ放送受信機が広く使用されている。例えば、デジタル放送を受信するテレビ放送受信機は、受取ったＢ−ＣＡＳカード（ＩＣカードの一種）に記録されているスクランブル解除鍵を用いて、放送信号に施されているスクランブルを解除させる。なおＢ−ＣＡＳカード等が用いられる映像配信のシステムは、デジタル放送番組の著作権保護などを図るべく、既に広く採用されている。
【０００３】
またＢ−ＣＡＳカードが用いられる一般的なテレビ放送受信機は、例えばカードが抜差し自在となっているカードホルダを備えており、このカードホルダにＢ−ＣＡＳカードが挿入されるようになっている。このようにＢ−ＣＡＳカードが抜差し自在となっていることで、例えばＢ−ＣＡＳカードが故障したような場合であっても、Ｂ−ＣＡＳカードを簡単に取り替えることが可能となっている。
【０００４】
またテレビ放送受信機の使用環境としては、例えばユーザが自宅で個人的に使用する態様や、ホテル等の公共施設にて不特定の者に使用させる態様などが想定される。後者の場合には、通常、テレビ放送受信機を管理する管理者が存在し、管理者によって機器のメンテナンスや盗難防止の措置等が施される。
【特許文献１】特開２００５−２３６５０４号公報
【発明の開示】
【発明が解決しようとする課題】
【０００５】
上述したように、テレビ放送受信機においては、Ｂ−ＣＡＳカード等のＩＣカードが、抜差し自在となっているものがある。そのため、このようなテレビ放送受信機が不特定の者に使用される環境にある場合、管理者は、テレビ放送受信機からＢ−ＣＡＳカードが勝手に抜き取られて、どこかに持ち去られることを防ぐ必要がある。
【０００６】
そのためには、テレビ放送受信機の構造上、Ｂ−ＣＡＳカードが外部から抜き取られないようにしておくことも考えられる。しかしこのようにすると、Ｂ−ＣＡＳカードの抜取りが必要なとき（例えば故障したＢ−ＣＡＳカードを交換するとき）に、非常に不便となる。特に当該テレビ放送受信機の使用環境が変わり、個人的に使用されるようになった場合には、Ｂ−ＣＡＳカードが勝手に抜き取られることは考えにくく、このような構造とすることによる利点は殆どないと言える。
【０００７】
また、Ｂ−ＣＡＳカードが抜き取られた際に、警告表示や警告音が出力されるようにしておき、Ｂ−ＣＡＳカードの持ち去りを極力防止することも考えられる。しかし、テレビ放送受信機等が個人的に使用される環境にある場合には、このような警告表示や警告音の出力は通常必要ではなく、むしろ煩わしさや処理負担の観点などから、表示や出力がなされないことが望ましいといえる。
【０００８】
本発明は上述した問題点に鑑み、不特定の者に使用されるような環境に置く場合には、ＩＣカードの持ち去り等を極力防止し、個人的に使用されるような環境に置く場合には、極力不便なくＩＣカードの抜取り等が可能となる、テレビ放送受信機の提供を目的とする。
【課題を解決するための手段】
【０００９】
上記目的を達成するため、本発明に係るテレビ放送受信機は、ＩＣカードを受取って保持するカード受取部を備え、該受取られたＩＣカードに記録されている情報を用いて所定の処理を行う、テレビ放送受信機であって、該テレビ放送受信機における処理形態を、外部からの指示に応じて、第１モードおよび第２モードの何れかに設定するモード設定部と、前記ＩＣカードが、前記カード受取部から取り除かれたか否かを検出する検出部と、前記処理形態が第２モードに設定されており、かつ、前記ＩＣカードが前記カード受取部から取り除かれた場合に、音声出力装置に所定音声を出力させる処理および映像表示装置に所定映像を表示させる処理のうちの少なくとも一方の処理（「報知処理」とする）を行う報知部と、を備え、該報知部は、前記処理形態が第１モードに設定されている場合には、該報知処理を行わない構成とする。
【００１０】
本構成によれば、不特定の者に使用されるような環境に置く場合には、テレビ放送受信機における処理形態を第２モードに設定させることにより、ＩＣカードがカード受取部から取り除かれた場合に報知処理を行わせることができる。そのため、何者かによるＩＣカードの持ち去り等を極力防止することが可能となる。
【００１１】
一方で、個人的に使用されるような環境に置く場合には、テレビ放送受信機における処理形態を第１モードに設定させることにより、報知処理が行われないようにすることができる。そのためユーザは、不必要な報知処理が行われるといった不便を被らずに、ＩＣカードの抜取り等を行うことが可能となる。
【００１２】
また上記構成としてより具体的には、テレビ放送信号を受信し、前記ＩＣカードに記録されている解除鍵を用いて、該テレビ放送信号に施されているスクランブルを解除する構成としてもよい。
【００１３】
また上記構成において、前記音声出力装置および前記映像表示装置の双方を備え、該音声出力装置および映像表示装置を用いて、テレビ放送信号に基づいた音声出力および映像表示を行う構成としてもよい。
【００１４】
本構成によれば、テレビ放送の音声や映像を出力させる音声出力装置および映像表示装置に、報知処理に係る音声出力や映像出力を兼ねさせることができる。
【００１５】
また上記構成において、該テレビ放送受信機における電力供給形態は、前記音声出力装置および前記映像表示装置に駆動電力が供給される電源ＯＮ状態と、該駆動電力が供給されない電源ＯＦＦ状態と、の何れかに切替可能であり、前記報知部は、該電力供給形態が電源ＯＦＦ状態であるときに、前記処理形態が第２モードに設定されており、かつ、前記ＩＣカードが前記カード受取部から取り除かれたことが検出された場合には、該電力供給形態を電源ＯＮ状態に切替えた上で、前記報知処理を行う構成としてもよい。
【００１６】
本構成によれば、テレビ放送受信機が電源ＯＦＦ状態のときにＩＣカードが持ち去られることを、極力防止することが可能となる。また、電源供給形態が予め電源ＯＮ状態に切替えられるので、報知処理に係る音声出力や映像表示を容易に実行させることが可能となる。
【発明の効果】
【００１７】
上述した通り、本発明に係るテレビ放送受信機によれば、不特定の者に使用されるような環境に置く場合には、テレビ放送受信機における処理形態を第２モードに設定させることにより、ＩＣカードがカード受取部から取り除かれた場合に報知処理を行わせることができる。そのため、何者かによるＩＣカードの持ち去り等を極力防止することが可能となる。
【００１８】
一方で、個人的に使用されるような環境に置く場合には、テレビ放送受信機における処理形態を第１モードに設定させることにより、報知処理が行われないようにすることができる。そのためユーザは、不必要な報知処理が行われるといった不便を被らずに、ＩＣカードの抜取り等を行うことが可能となる。
【発明を実施するための最良の形態】
【００１９】
本発明の実施形態について、テレビ放送受信システムの一例を挙げて以下に説明する。当該テレビ放送受信システムの構成図（ブロック図）を、図１に示す。本図に示すように、テレビ放送受信システム９は、テレビ放送受信機１とＢ−ＣＡＳカード２を有している。なおＢ−ＣＡＳカード２は、情報を書換え可能に記録するＩＣ［Integrated Circuit］が内蔵されたＩＣカードであり、このＩＣには、テレビ放送信号に施されたスクランブルの解除に用いられる解除鍵が記録されている。
【００２０】
テレビ放送受信機１は、制御部１１、操作部１２、カードソケット１３、報知音信号生成部１４、報知映像信号生成部１５、スクランブル解除部１６、音声信号デコーダ１７、映像信号デコーダ１８、音声出力装置１９、および映像出力装置２０などを備えている。
【００２１】
制御部１１は、例えばＣＰＵによって形成されており、Ｂ−ＣＡＳカード２の監視に関わる処理や、電源のＯＮ／ＯＦＦ切替の処理など、テレビ放送受信機１に関わる各種処理を制御する。なおＢ−ＣＡＳカード２の監視に関わる処理の内容については、改めて詳細に説明する。
【００２２】
ここで電源のＯＮ／ＯＦＦ切替の処理は、操作部１２を通じてなされるユーザの指示に応じて、テレビ放送受信機１における電力供給形態を、電源ＯＮ状態と電源ＯＦＦ状態の何れかに切り替えるものである。なお電源ＯＮ状態は、テレビ放送受信機１の使用時に設定される状態であり、テレビ放送受信機１における各部（音声出力装置１９と映像出力装置２０を含む）に通常の駆動電力が供給される状態である。一方電源ＯＦＦ状態は、テレビ放送受信機１の不使用時に設定される状態であり、音声出力装置１９や映像出力装置２０などへの駆動電力の供給が遮断される状態である。
【００２３】
ただし電源ＯＦＦ状態においても、一部の必要な機能（操作部１２の操作認識や、後述するカード監視処理を行う機能など）は有効となっている。このように電力供給形態が切替可能となっていることで、ユーザは、テレビ番組の視聴等を行わない間は電源ＯＦＦとし、無駄な電力消費を抑えることが可能となっている。
【００２４】
操作部１２は、例えばリモートコントロール装置（リモコン）を備えた、ユーザインターフェースとして形成されており、ユーザによってボタンスイッチ等の操作がなされる。操作の内容は、ユーザの意図を示す情報として制御部１１に伝送され、各種処理に反映される。
【００２５】
カードソケット１３は、外部に開口したＢ−ＣＡＳカード用の挿入口が設けられており、Ｂ−ＣＡＳカード２の挿入が可能となっている。またカードソケット１３に挿入されたＢ−ＣＡＳカード２は、ユーザによる抜取り等がなされない限り、挿入された状態を維持する（つまり、勝手に抜け落ちない）ようになっている一方、ユーザによって外部方向に引っぱられた場合には、容易に抜き取られるようになっている。
【００２６】
つまりカードソケット１３は、外部からＢ−ＣＡＳカード２を受取って保持する。なお制御部１１は、カードソケット１３にＢ−ＣＡＳカード２が挿入された状態においては、このＢ−ＣＡＳカード２に記録されている情報（解除鍵）を読出すことが可能となっている。
【００２７】
またカードソケット１３におけるＢ−ＣＡＳカード２の挿入状況（挿入されているか否か）は、制御部１３によって常時或いは定期的に監視されている。そのため、制御部１３は、カードソケット１３からＢ−ＣＡＳカード２が抜き取られたこと（取り除かれたこと）を、検出することが可能である。
【００２８】
報知音信号生成部１４は、制御部１１からの指示に応じて、音声出力装置１９に報知音を出力させるための報知音信号を生成する。なおこの報知音は、カードソケット１３から誤ってＢ−ＣＡＳカード２を抜き取った者に対して、注意を引き付けたり、Ｂ−ＣＡＳカード２の持ち出しが禁止されていることを報知したりすることを目的としたものである。
【００２９】
報知音の内容は、例えばブザー音やチャイム音などであっても良く、また、「Ｂ−ＣＡＳカードの持ち出しは禁止されております。元に戻して下さい。」といった内容のメッセージ文であっても良い。また報知音の音量は、カードソケット１３からＢ−ＣＡＳカード２を抜き取った者に対して、注意を引き付け得る程度に設定されている。
【００３０】
また報知映像信号生成部１５は、制御部１１からの指示に応じて、映像出力装置２０に報知映像を出力させるための報知映像信号を生成する。この報知映像は、カードソケット１３から誤ってＢ−ＣＡＳカード２を抜き取った者に対して、Ｂ−ＣＡＳカードの持ち出しが禁止されていることを報知し、Ｂ−ＣＡＳカード２を元に戻すよう促すことを目的としたものであり、例えば「Ｂ−ＣＡＳカードの持ち出しは禁止されております。元に戻して下さい。」といった内容のメッセージ文が表示されるものである。
【００３１】
スクランブル解除部１６は、外部からアンテナやケーブル等を介して受信された、テレビ放送信号（テレビ番組に係る映像信号や音声信号を含む）に施されているスクランブルを、解除させる処理を行う。なお当該スクランブルの解除においては、Ｂ−ＣＡＳカード２に記録されている解除鍵が必要となっている。この解除鍵は、カードソケット１３に挿入されたＢ−ＣＡＳカード２から制御部１１によって読み出され、スクランブル解除部１６に伝送される。
【００３２】
なおカードソケット１３に適切なＢ−ＣＡＳカード２が挿入されていない場合は、解除鍵を取得することができず、スクランブル解除部１６は、スクランブルを解除させることができない。その結果、スクランブルの施されているテレビ放送信号の映像や音声は、正常に出力されない。なお、元々スクランブルの施されていないテレビ放送信号が受信された場合には、スクランブル解除部１６は、当該信号をそのまま後段側に出力する。
【００３３】
音声信号デコーダ１７は、スクランブル解除部１６の後段側に設けられており、入力されたテレビ放送信号の音声信号に施されている圧縮を解除する。圧縮が解除された音声信号は、更に後段に設けられている音声出力装置１９に伝送される。
【００３４】
映像信号デコーダ１８は、スクランブル解除部１６の後段側に設けられており、入力されたテレビ放送信号の映像信号に施されている圧縮を解除する。圧縮が解除された映像信号は、更に後段に設けられている映像出力装置２０に伝送される。
【００３５】
音声出力装置１９は、スピーカを備えており、報知音信号生成部１４や音声信号デコーダ１７から伝送された音声信号（音の信号）に基づいて音声を出力する。また、報知音信号生成部１４から報知音信号が伝送されている間、音声出力装置１９は、テレビ放送に係る音声よりも報知音の出力を優先させる。
【００３６】
また映像出力装置２０は、ディスプレイを備えており、報知映像信号生成部１５や映像信号デコーダ１８から伝送された映像信号に基づいて映像を出力（表示）する。また、報知映像号生成部１５から報知映像信号が伝送されている間、映像出力装置２０は、テレビ放送に係る映像よりも報知映像の出力を優先させる。
【００３７】
上述した構成のテレビ放送受信機１は、Ｂ−ＣＡＳカード２に記録されている解除鍵を用いて、テレビ放送信号のスクランブルを解除するとともに、テレビ番組の音声や映像を出力する。また更にテレビ放送受信機１は、カードソケット１３に挿入されているＢ−ＣＡＳカード２の抜取りを監視して、Ｂ−ＣＡＳカード２が管理者の意に反して持ち去られることを防止するための一連の処理（以下、「カード監視処理」とする）を実行する。このカード監視処理の内容について、図２に示すフローチャートを参照しながら、以下に説明する。
【００３８】
制御部１１は、通常時、カード監視処理に関する処理形態の更新指示が有ったか否か（ステップＳ１）、および、カードソケット１３からのＢ−ＣＡＳカード２の抜取りが検出されたか否か（ステップＳ２）について、継続的に監視する。
【００３９】
そして処理形態の更新指示が有った場合には（ステップＳ１のＹ）、制御部１１は、現在設定されている処理形態を、当該指示に従って更新する（ステップＳ３）。その後、ステップＳ２の処理に進む。なお当該処理形態の更新指示は、管理者等が、操作部１２において所定操作を行うことにより受付けられる。なお処理形態としては、個人的に使用される使用環境を想定して設けられた通常モード（第１モード）と、不特定の者に使用される使用環境を想定して設けられたディーラーモード（第２モード）の２種類が用意されており、これらのうちの何れかが更新可能に設定されることになる。
【００４０】
またＩＣカードの抜取りが検出された場合には（ステップＳ２のＹ）、制御部１１は、ＩＣカード監視処理に関する処理形態が、通常モードとディーラーモードの何れに設定されているかを判別する（ステップＳ４）。その結果、通常モードが設定されていると判別された場合には（ステップＳ４のＮ）、ステップＳ５の処理に進まず、ステップＳ１の処理に戻る。
【００４１】
一方、ディーラーモードが設定されていると判別された場合には（ステップＳ４のＹ）、制御部１１は、報知音信号生成部１４に報知音信号を生成させるよう指示するとともに、報知映像信号生成部１５に報知映像信号を生成させるよう指示する。その結果、音声出力装置１９は報知音を出力し、映像出力装置２０は報知映像を表示することになる（ステップＳ５）。なお当該処理は、報知音の出力と報知映像の表示の何れか一方のみが実行される態様であっても構わない。
【００４２】
またこのとき、制御部１１は、Ｂ−ＣＡＳカード２がカードソケット１３に差し込まれたか否か、すなわち、一旦カードソケット１３から抜き取られたＢ−ＣＡＳカード２が、元に戻されたか否かを監視する（ステップＳ６）。その結果、Ｂ−ＣＡＳカード２の差込みが検出された場合には（ステップＳ６のＹ）、報知音の出力と報知映像の表示を停止させ、ステップＳ１の処理に戻る。一方、差込みが検出されない間は（ステップＳ６のＮ）、継続して、報知音の出力と報知映像の表示がなされる。
【００４３】
以上に説明したカード監視処理が実行されることにより、テレビ放送受信機１は、Ｂ−ＣＡＳカード２の抜取りを監視するとともに、不特定の者にＢ−ＣＡＳカード２が持ち去られることを、極力防止することが可能となっている。次に、テレビ放送受信機１の使用形態について、使用環境ごとに分けて説明する。
【００４４】
テレビ放送受信機１が個人的に使用される場合、ユーザは、カード監視処理に関する処理形態を、通常モードに設定しておく（ステップＳ１、Ｓ３）。このようにしておけば、ユーザは、カードソケット１３に挿入されているＢ−ＣＡＳカード２を、報知音や報知表示を出力させることなく、抜き取ることができる。そのため、例えば現在使用中のＢ−ＣＡＳカード２が故障した場合に、ユーザは報知音や報知表示を気にすることなく、Ｂ−ＣＡＳカード２を交換することができる。
【００４５】
一方、テレビ放送受信機１が不特定の者に使用される環境に置かれる場合、管理者は、カード監視処理に関する処理形態を、ディーラーモードに設定しておく（ステップＳ１、Ｓ３）。このようにしておけば、何者かが、カードソケット１３に挿入されているＢ−ＣＡＳカード２を抜き取った場合には、報知音と報知表示が出力されることになる（ステップＳ５）。
【００４６】
そのため、Ｂ−ＣＡＳカード２を誤って抜き取った者に対して、Ｂ−ＣＡＳカード２の抜取りが禁止されていることを認識させ、Ｂ−ＣＡＳカード２をカードソケット１３に戻させることができる。これにより、Ｂ−ＣＡＳカード２が誤って持ち去られる事態を、未然に防ぐことが可能となっている。
【００４７】
なお、カード監視処理に関する処理形態がディーラーモードに設定されている状態では、管理者自身が必要時にＢ−ＣＡＳカード２を抜き取った場合にも、報知音と報知表示が出力されることになる。そのため、報知音や報知表示を出力させたくない場合には、管理者は、当該処理形態を一旦通常モードに戻した上で、Ｂ−ＣＡＳカード２を抜き取るようにすれば良い。
【００４８】
このようにテレビ放送受信機１は、個人的に使用される環境に置かれるか、不特定の者に使用される環境に置かれるかに応じて、より好ましい処理形態に設定可能となっている。
【００４９】
なお上述した報知音や報知表示は、誤ってＢ−ＣＡＳカード２を抜き取った者への報知等を目的としていたが、これに代えて、故意にＢ−ＣＡＳカード２を抜き取って持ち去ろうとする者への警告を目的とした、警告音や警告表示としても良い。例えば警告音としては、やや離れた場所にいる人や管理者にも聞こえる程度の大音量の音声とし、警告映像としては、Ｂ−ＣＡＳカード２を持ち去ると罰せられる旨のメッセージ文が表示されるものとする。
【００５０】
またステップＳ５の処理は、初めのうちは報知音や報知映像が出力され、Ｂ−ＣＡＳカード２の抜取りが検出（ステップＳ２のＹ）されてから、所定時間が経過してもＢ−ＣＡＳカード２の差込みが検出されない場合（ステップＳ６のＮ）に、上述したような警告音（報知音に比べ、音量または音の種類が異なるもの）や警告映像（報知映像に比べ、表示内容が異なるもの）が出力されるものとしても良い。このようにすれば、Ｂ−ＣＡＳカード２を誤って抜き取ったに過ぎない者を、警告音や警告映像によって不愉快にさせてしまうことを、極力回避させることが可能となる。
【００５１】
またテレビ放送受信機１が不特定の者に使用される環境に置かれる場合、カード監視処理に関する処理形態が管理者の意に反して勝手に更新されると、Ｂ−ＣＡＳカード２が抜き取られても報知音や報知映像が出力されないおそれがある。そこで当該処理形態の更新指示（ステップＳ１）を与えるための操作としては、偶発的には起こりにくいと考えられる操作（例えば、リモコン側の所定のボタンスイッチと、本体側の所定のボタンスイッチの同時押し）が、採用されていることが望ましい。またセキュリティの強化を図るため、当該更新指示の受付に先立ち、パスワードの入力等を要求するようにしても構わない。
【００５２】
また、テレビ放送受信機１における電力供給形態が、先述した電源ＯＦＦ状態となっているときに、カード監視処理に関する処理形態がディーラーモードに設定されており、かつ、Ｂ−ＣＡＳカード２の抜取りが検出された場合（ステップＳ４のＹ）には、当該電力供給形態が電源ＯＮ状態に切り替えられた上で、ステップＳ５の処理が実行されるようにしても構わない。
【００５３】
このようにすれば、テレビ放送受信機１が電源ＯＦＦ状態のときにＢ−ＣＡＳカード２が抜き取られ、持ち去られることを、極力防止することが可能となる。また電源供給形態が予め電源ＯＮ状態に切替えられるので、ステップＳ５の処理における音声出力や映像表示を容易に実行させることが可能となる。
【００５４】
またテレビ放送受信機１では、報知音信号および報知映像信号は、当該受信機１内部の音声出力装置１９および映像出力装置２０に伝送されるが、これらの信号が所定の端子を介して、外部に出力されるようになっていても構わない。特にテレビ放送受信機１が音声出力装置や映像表示装置を備えていない場合（例えば、単なるチューナ機である場合など）、このようになっていれば、テレビ放送受信機１に接続された外部の音声出力装置や映像出力装置に、報知音や報知映像を出力させることが可能となる。
【００５５】
以上に説明した通り、本実施形態に係るテレビ放送受信機１は、Ｂ−ＣＡＳカード２を受取って保持するカードソケット１３を備え、この受取られたＢ−ＣＡＳカード２に記録されている解除鍵を用いて、テレビ放送信号に施されたスクランブルを解除させる。またテレビ放送受信機１における処理形態を、外部からの指示に応じて、通常モードおよびディーラーモードの何れかに設定する機能を備えている。またＢ−ＣＡＳカード２が、カードソケット１３から抜き取られたか（取り除かれたか）否かを検出する機能を備えている。
【００５６】
そして更にテレビ放送受信機１は、当該処理形態がディーラーモードに設定されており、かつ、Ｂ−ＣＡＳカード２がカードソケット１３から抜き取られた場合に、音声出力装置１９に報知音を出力させる処理、および映像表示装置２０に報知映像を表示させる処理（報知処理）を行う機能を備えている。また当該処理形態が通常モードに設定されている場合には、報知処理を行わないようになっている。
【００５７】
そのため、不特定の者に使用されるような環境に置く場合には、テレビ放送受信機１における処理形態をディーラーモードに設定させることにより、Ｂ−ＣＡＳカード２がカードソケット１３から抜き取られた場合に報知処理を行わせることができる。そのため、何者かによるＢ−ＣＡＳカード２の持ち去り等を極力防止することが可能となっている。
【００５８】
一方で、個人的に使用されるような環境に置く場合には、テレビ放送受信機１における処理形態を通常モードに設定させることにより、報知処理が行われないようにすることができる。そのためユーザは、不必要な報知処理が行われるといった不便を被らずに、Ｂ−ＣＡＳカード２の抜取り等を行うことが可能となっている。
【００５９】
以上、本発明の実施形態について説明したが、本発明は、この内容に限定されるものではなく、またその主旨を逸脱しない限り、種々の改変を加えて実施され得る。
【産業上の利用可能性】
【００６０】
本発明は、テレビ放送受信機などの分野において利用可能である。
【図面の簡単な説明】
【００６１】
【図１】本発明の実施形態に係るテレビ放送受信システムの構成図である。
【図２】カード監視処理に関するフローチャートである。
【符号の説明】
【００６２】
１    テレビ放送受信機
２    Ｂ−ＣＡＳカード（ＩＣカード）
９    テレビ放送受信システム
１１    制御部
１２    操作部
１３    カードソケット（カード受取部）
１４    報知音信号生成部
１５    報知映像信号生成部
１６    スクランブル解除部
１７    音声信号デコーダ
１８    映像信号デコーダ
１９    音声出力装置
２０    映像出力装置
【図１】
2010035086.tif 000003
【図２】
2010035086.tif 000004